(57)【要約】【課題】重さ調整とそれによる品種統合を可能にし、また、胴付き仕掛けの錘や、投げ釣り用錘として使用しても信頼性が損なわれないようにした釣り用錘を提供する。【解決手段】重さ調整ピース３の一端に雄ねじ５を、他端に雄ねじ５に対応させた雌ねじ６をそれぞれ設け、さらに、トップ部２とボトム部１に前記雄ねじと雌ねじに対応させた雌ねじ７と雄ねじ４をそれぞれ設け、トップ部２とボトム部１に対する重さ調整ピース３の連結と、重さ調整ピース３相互の連結を共通のねじで行う構造の釣り用錘Ａとなした。【選択図】図１
0003106975.tif 000002
【実用新案登録請求の範囲】
【請求項１】
トップ部とボトム部を独立させて着脱自在に連結した釣り用錘。
【請求項２】
トップ部とボトム部を、１乃至複数個の重さ調整ピースを間に介して着脱自在に連結した請求項１に記載の釣り用錘。
【請求項３】
前記重さ調整ピースの一端に雄ねじを、他端に前記雄ねじに対応させた雌ねじをそれぞれ設け、さらに、前記トップ部とボトム部に前記雄ねじと雌ねじに螺合させる雌ねじと雄ねじをそれぞれ設け、前記トップ部とボトム部に対する重さ調整ピースの連結と、重さ調整ピース相互の連結を共通のねじで行うようにした請求項２に記載の釣り用錘。
【請求項４】
重さを異ならせた数種類のボトム部を含ませ、共通の締結要素を備えさせたそのボトム部の中からひとつのボトム部を選択して使用するようにした請求項１乃至３のいずれかに記載の釣り用錘。
【請求項５】
前記重さ調整ピースの表面に蓄光塗料や着色塗料の塗膜を設けた請求項２乃至４のいずれかに記載の釣り用錘。
【考案の詳細な説明】
【技術分野】
【０００１】
この考案は、重さ調整（負荷調整）を可能にした釣り用錘に関する。
【背景技術】
【０００２】
釣り用錘は、釣り場の状況、例えばタナの深さや潮流の速さ、投げ釣りでの投入距離などに応じて適切な重さを有するものが選ばれる。この釣り用錘は、重さを固定したものが主流をなしており、例えば、胴付き仕掛け用のひとつをとってみても、重さを変えた数だけその種類が存在する。
【０００３】
釣り人は、そのときの釣行で必要と思われる錘を持参するが、釣り場の状況は常に変化する。また、状況によっては途中で釣法を変えることもあり、そのため、何種類かの錘を準備することになり、無駄が多くなって出費や運搬の手間などが増加する。
【０００４】
錘の種類が多いと、釣具店も不利益を被る。種類の異なる数多くの錘を仕入れて展示する必要があり、在庫増加や展示スペース増加の問題が起こる。
【０００５】
ここで、下記特許文献１が開示している錘は、筒部材を芯にしてその外周に側面視Ｃ字状の座金状体を複数個螺着可能となしており、座金状体の数を増減して重さを調整することができる。しかしながら、この特許文献１の錘は、浮子釣りなどで使用する中錘としては適するが、船釣りで使用する胴付き仕掛けの錘や、投げ釣り用の錘として使用すると、筒部材の外周に形成した雄ねじが海底の岩盤などで傷ついて座金状体の着脱に支障がでることが考えられる。また、周方向の途中が途切れている座金状体は強度確保が難しく、鉛で形成すると変形しやすく、信頼性を確保し難い。
【特許文献１】特開平１１−１８６４９号公報
【考案の開示】
【考案が解決しようとする課題】
【０００６】
この考案は、重さ調整とそれによる品種統合を可能にし、また、胴付き仕掛けの錘や、投げ釣り用錘として使用しても信頼性が損なわれないようにした釣り用錘を提供することを課題としている。
【課題を解決するための手段】
【０００７】
上記の課題を解決するため、この考案においては、トップ部とボトム部を独立させて着脱自在に連結した釣り用錘と、そのトップ部とボトム部を、１個又は複数個の重さ調整ピースを間に介して着脱自在に連結した釣り用錘を提供する。
【０００８】
重さ調整ピースを含ませた錘は、重さ調整ピースの一端に雄ねじを、他端にその雄ねじに対応させた雌ねじをそれぞれ設け、さらに、前記トップ部とボトム部に前記雄ねじと雌ねじに螺合させる雌ねじと雄ねじをそれぞれ設け、前記トップ部とボトム部に対する重さ調整ピースの連結と、重さ調整ピース相互の連結を共通のねじで行うものが特に好ましい。
なお、ボトム部は重さの異なるものを何種類か用意し、その中から選択した１個をトップ部や重さ調整ピースに連結して使用するようにしてもよい。
【考案の効果】
【０００９】
この考案の釣り用錘は、トップ部に対するボトム部の着け外しや、トップ部とボトム部間に介在する重さ調整ピースの増減によって重さを釣り場の条件に合うように変化させることができる。従って、釣り人は、必要最小限の部品を準備すればよく、無用の錘を購入する必要がない。そのために、余分な錘を無駄に運搬する手間も省かれる。また、釣具店も、部品が統合されてその種類が減少するため、在庫の削減、展示スペースの削減などが図れる。
【考案を実施するための最良の形態】
【００１０】
図１乃至図５に、この考案の実施形態を示す。例示の釣り用錘Ａは、胴付き仕掛け用の錘であり、鉛で形成された独立した３種類の部品、すなわち、最下部に配置するボトム部１と、最上部に配置するトップ部２と、ボトム部１とトップ部２との間に介在する重さ調整ピース３とで構成されている。トップ部２は、先糸を結びつけるための連結環２ａを上端に備えている。
【００１１】
ボトム部１と重さ調整ピース３の上部に、締結軸となる雄ねじ４、５をそれぞれ設けている。一方、重さ調整ピース３の下部とトップ部２の下部には、前記雄ねじ４、５に対応させた雌ねじ６、７を設けており、これらのねじでトップ部２に対してボトム部１や重さ調整ピース３を着け外し自在に連結する。
【００１２】
各雄ねじ４、５と各雌ねじ６、７は、サイズを統一しており、そのために、トップ部２に対してボトム部１を直接連結したり、重さ調整ピース３を介して間接的に連結したりすることができる。重さ調整ピース３は、図４に示すように、複数個を継ぎ足して介在することができ、この重さ調整ピース３の数を増減し、あるいは、ボトム部１を着け外しして錘Ａの重量を変化させる。
【００１３】
ボトム部１は、数号単位で重量を異ならせたものを何種類か用意すると好ましい。例えば、４０号から１００号まで１０号単位（３７．５ｇ単位）で重さを異ならせたボトム部１を用意し、トップ部２と重さ調整ピース３をそれぞれ１０号の重さにすると、部品の種類が、全部で９種類（ボトム部が７種、トップ部が１種、重さ調整ピースが１種）に統合される。
【００１４】
この９種類の部品を準備すると、１０号単位で重さを変えることができる。すなわち、トップ部のみを使用したときは１０号、重さ調整ピースを１個連結したときには２０号、２個連結したときには３０号、３個連結したときには４０号、トップ部に４０号のボトム部を連結したときには５０号、ボトム部を５０号〜１００号のものに付け替えるか、４０号のボトム部とトップ部との間に１〜６個の重さ調整ピースを介在した場合には６０号から１１０号という具合に錘の号数が変化する。ボトム部はこのケースでは１００号まで準備されているので、重さ調整ピースの最大介在数を仮に５個（実際にはもっと多く連結することが可能）と考えた場合には、１６０号までの重さ調整が行えることになる。
【００１５】
なお、ボトム部１、トップ部２、重さ調整ピース３は、雄ねじや雌ねじの損傷を減らすために硬質の鉛で形成するのがよい。また、これらの部品の外面には、それぞれの部品の重さを示す号数を刻印しておくと、各部品の号数を加算して組み合わせ後の錘の号数を簡単に知ることができる。号数刻印部８の一例を図１に示す。
【００１６】
このほか、重さ調整ピース３の表面に、蓄光塗料、蛍光塗料、着色料などの塗膜９を設けておくと、錘を利用して集魚効果を高めることができる。
【００１７】
図５は、他の実施形態を示している。この釣り用錘Ｂは、ボトム部１１の上部に所定長さの軸１４を設け、その軸１４上にリング状に形成した重さ調整ピース１３を嵌め、その後、軸１４の上端に形成した雄ねじ１５にトップ部１２をねじ結合させるようにしている。この錘Ｂは、軸１４の外周にねじを切る必要がなく、また、重さ調整ピース１３は単純な形状のリングを使用でき、重さ調整ピース１３が変形してもピースの着脱性が損なわれ難いが、重さ調整ピース１３の設置数が軸１４の長さによって規制される難点がある。ねじ継ぎ方式のものはその欠点がなく、重さ調整の自由度が高い。
【００１８】
なお、ねじ継ぎ方式の錘は、ボトム部１、１１の下部に連結環をつけて中錘として使用するのは避けた方がよい。仕掛けの最下部に取り付ける錘は、ボトム部が緩んで外れても再度同じものを取り付ければ元通りになるが、中錘にしてボトム部に仕掛けを接続すると、ボトム部が外れたときにボトム部に連結した仕掛けも失われてしまうため好ましくない。
【図面の簡単な説明】
【００１９】
【図１】この考案の釣り用錘の実施形態を示す分解斜視図
【図２】同上の錘をトップ部とボトム部の組み合わせにして示す断面図
【図３】トップ部とボトム部間に重さ調整ピースを１個介在した状態の断面図
【図４】トップ部とボトム部間に重さ調整ピースを４個介在した状態の断面図
【図５】異なる構造の連結部を採用した釣り用錘の斜視図
【符号の説明】
【００２０】
１、１１      ボトム部
２、１２      トップ部
２ａ          連結環
３、１３      重さ調整ピース
４、５、１５  雄ねじ
６、７        雌ねじ
８            号数刻印部
９            塗膜
１４          軸
Ａ、Ｂ        釣り用錘
【図１】
0003106975.tif 000003
【図２】
0003106975.tif 000004
【図３】
0003106975.tif 000005
【図４】
0003106975.tif 000006
【図５】
0003106975.tif 000007